【手続補正書】
【提出日】令和1年5月14日(2019.5.14)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
上縁部、底縁部、および中心を有する打撃面であって、前記中心を通って延びるロフト平面であって、前記打撃面に接して位置する前記ロフト平面を規定する前記打撃面と、
本体と、を備え、
前記本体は、
前端部と、
前記前端部の反対側の後端部と、
ヒールと、
前記ヒールの反対側のトウと、
頂点およびクラウン移行プロフィルを含むクラウンと、
最下点およびソール移行プロフィルを含むソールと、
第１の移行点と第２の移行点との間に位置するリア移行プロフィルであって、０．１インチ（０．２５ｃｍ）から０．２５インチ（０．６４ｃｍ）の間のリア曲率半径を有する前記リア移行プロフィルと、を備え、
前記クラウン移行プロフィルは、前記打撃面の前記上縁部から第１のクラウン移行点まで延びる第１のクラウン曲率半径を有し、
前記第１のクラウン曲率半径は、０．１８インチ（０．４６ｃｍ）から０．３０インチ（０．７６ｃｍ）の間であり、
前記ソール移行プロフィルは、前記打撃面の前記底縁部から第１のソール移行点まで延びる第１のソール曲率半径を有し、
前記第１のソール曲率半径は、０．３インチ（０．７６ｃｍ）から０．５インチ（１．２７ｃｍ）の間である、ゴルフクラブヘッド。
【請求項２】
前記クラウン移行プロフィルは、
前記ロフト平面から頂点平面までの直交距離として測定される長さと、
前記ロフト平面と平行な方向での前記打撃面の前記上縁部からクラウン軸までの距離として測定される高さと、をさらに備え、
前記クラウン移行プロフィルの前記高さに対する前記長さの比は、３．５以下である、請求項１に記載のゴルフクラブヘッド。
【請求項３】
前記クラウン移行プロフィルの前記高さに対する前記長さの前記比は、３．０以下である、請求項２に記載のゴルフクラブヘッド。
【請求項４】
前記クラウン移行プロフィルの前記長さは、１．１３から１．３４インチ（２．８７から３．４０ｃｍ）の間であり、
前記クラウン移行プロフィルの前記高さは、０．４１から０．４７インチ（１．０４から１．１９ｃｍ）の間である、請求項２に記載のゴルフクラブヘッド。
【請求項５】
前記頂点は、前記ロフト平面に対して直交する方向に測定される頂点距離だけ前記ロフト平面からずれており、
前記頂点距離は、０．８から１．４インチ（２．０３から３．５６ｃｍ）の間である、請求項１から４のいずれか一項に記載のゴルフクラブヘッド。
【請求項６】
前記クラウン移行プロフィルは、前記第１のクラウン移行点から第２のクラウン移行点まで延びる第２のクラウン曲率半径をさらに備え、
前記第２のクラウン曲率半径は、前記第１のクラウン曲率半径より大きい、請求項１から５のいずれか一項に記載のゴルフクラブヘッド。
【請求項７】
前記打撃面の前記上縁部に沿って前記クラブヘッドの前記ヒールの付近から前記トウの付近まで延びるヒールトウ曲率半径をさらに備え、
前記ヒールトウ曲率半径は、４．９インチ（１２．４ｃｍ）より大きい、請求項１から６のいずれか一項に記載のゴルフクラブヘッド。
【請求項８】
前記ソール移行プロフィルは、
前記ロフト平面からソール平面までの直交距離として測定される長さと、
前記ロフト平面と平行な方向での前記打撃面の前記底縁部からソール軸までの距離として測定される高さと、をさらに備え、
前記ソール移行プロフィルの前記高さに対する前記長さの比は、３．５以下である、請求項１から７のいずれか一項に記載のゴルフクラブヘッド。
【請求項９】
前記ソール移行プロフィルの前記長さは、０．１０から１．２５インチ（０．２５から３．１８ｃｍ）の間であり、
前記ソール移行プロフィルの前記高さは、０．０５から０．４０インチ（０．１３から１．０２ｃｍ）の間である、請求項８に記載のゴルフクラブヘッド。
【請求項１０】
前記ソール移行プロフィルは、前記第１のソール移行点から第２のソール移行点まで延びる第２のソール曲率半径をさらに備え、
前記第２のソール曲率半径は、前記第１のソール曲率半径より大きい、請求項１から９のいずれか一項に記載のゴルフクラブヘッド。
【請求項１１】
ゴルフクラブであって、
シャフトと、
グリップと、
ゴルフクラブヘッドと、を備え、
前記ゴルフクラブヘッドは、
上縁部、底縁部、および中心を有する打撃面であって、前記中心を通って延びるロフト平面であって、前記打撃面に接して位置する前記ロフト平面を規定する前記打撃面と、
本体と、を備え、
前記本体は、
前端部と、
前記前端部の反対側の後端部と、
ヒールと、
前記ヒールの反対側のトウと、
頂点およびクラウン移行プロフィルを含むクラウンと、
最下点およびソール移行プロフィルを含むソールと、
第１の移行点と第２の移行点との間に位置するリア移行プロフィルであって、０．１インチ（０．２５ｃｍ）から０．２５インチ（０．６４ｃｍ）の間のリア曲率半径を有する前記リア移行プロフィルと、を備え、
前記クラウン移行プロフィルは、前記打撃面の前記上縁部から第１のクラウン移行点まで延びる第１のクラウン曲率半径を有し、
前記第１のクラウン曲率半径は、０．１８インチ（０．４６ｃｍ）から０．３０インチ（０．７６ｃｍ）の間であり、
前記ソール移行プロフィルは、前記打撃面の前記底縁部から第１のソール移行点まで延びる第１のソール曲率半径を有し、
前記第１のソール曲率半径は、０．３インチ（０．７６ｃｍ）から０．５インチ（１．２７ｃｍ）の間である、ゴルフクラブ。
【請求項１２】
前記クラウン移行プロフィルは、
前記ロフト平面から頂点平面までの直交距離として測定される長さと、
前記ロフト平面と平行な方向での前記打撃面の前記上縁部からクラウン軸までの距離として測定される高さと、をさらに備え、
前記クラウン移行プロフィルの前記高さに対する前記長さの比は、３．５以下である、請求項１１に記載のゴルフクラブ。
【請求項１３】
前記クラウン移行プロフィルの前記高さに対する前記長さの前記比は、３．０以下である、請求項１２に記載のゴルフクラブ。
【請求項１４】
前記クラウン移行プロフィルの前記長さは、１．１３から１．３４インチ（２．８７から３．４０ｃｍ）の間であり、
前記クラウン移行プロフィルの前記高さは、０．４１から０．４７インチ（１．０４から１．１９ｃｍ）の間である、請求項１２に記載のゴルフクラブ。
【請求項１５】
前記クラウン移行プロフィルは、前記第１のクラウン移行点から第２のクラウン移行点まで延びる第２のクラウン曲率半径をさらに備え、
前記第２のクラウン曲率半径は、前記第１のクラウン曲率半径より大きい、請求項１１から１４のいずれか一項に記載のゴルフクラブ。
【請求項１６】
ゴルフクラブであって、
前記打撃面の前記上縁部に沿って前記クラブヘッドの前記ヒールの付近から前記トウの付近まで延びるヒールトウ曲率半径をさらに備え、
前記ヒールトウ曲率半径は、４．９インチ（１２．４ｃｍ）より大きい、請求項１１から１５のいずれか一項に記載のゴルフクラブ。
【請求項１７】
前記ソール移行プロフィルは、
前記ロフト平面からソール平面までの直交距離として測定される長さと、
前記ロフト平面と平行な方向の前記打撃面の前記底縁部からソール軸までの距離として測定される高さと、をさらに備え、
前記クラウン移行プロフィルの前記高さに対する前記長さの比は、３．５以下である、請求項１１から１６のいずれか一項に記載のゴルフクラブ。
【請求項１８】
前記ソール移行プロフィルの前記長さは、０．１０から１．２５インチ（０．２５から３．１８ｃｍ）の間であり、
前記ソール移行プロフィルの前記高さは、０．０５から０．４０インチ（０．１３から１．０２ｃｍ）の間である、請求項１７に記載のゴルフクラブ。
【請求項１９】
前記ソール移行プロフィルは、前記第１のソール移行点から第２のソール移行点まで延びる第２のソール曲率半径をさらに備え、
前記第２のソール曲率半径は、前記第１のソール曲率半径より大きい、請求項１１から１８のいずれか一項に記載のゴルフクラブ。
【請求項２０】
請求項１に記載のゴルフクラブヘッドを製造する方法であって、
打撃面を機械で作製するステップと、
前端部と、前記前端部の反対側の後端部と、ヒールと、前記ヒールの反対側のトウと、頂点およびクラウン移行プロフィルを有するクラウンと、前記クラウンの反対側のソールと、を備える本体を鋳造するステップと、
溶接によって前記打撃面を前記本体に結合して、前記クラウン移行プロフィル、前記ソール移行プロフィル、および前記リア移行プロフィルを有する前記クラブヘッドを得るステップと、を含む、方法。
【手続補正２】
【補正対象書類名】明細書
【補正対象項目名】０１２４
【補正方法】変更
【補正の内容】
【０１２４】
本開示の様々な特徴および利点を、以下の特許請求の範囲に記載する。
以下の項目は、国際出願時の特許請求の範囲に記載の要素である。
（項目１）
ゴルフクラブヘッドであって、
上縁部、底縁部、および中心を有する打撃面であって、前記中心を通って延びるロフト平面であって、前記打撃面に接して位置する前記ロフト平面を規定する前記打撃面と、
本体と、を備え、
前記本体は、
前端部と、
前記前端部の反対側の後端部と、
ヒールと、
前記ヒールの反対側のトウと、
頂点およびクラウン移行プロフィルを含むクラウンと、
最下点およびソール移行プロフィルを含むソールと、
約０．１インチから約０．２５インチの間のリア曲率半径を有するリア移行プロフィルと、を備え、
前記クラウン移行プロフィルは、前記打撃面の前記上縁部から第１のクラウン移行点まで延びる第１のクラウン曲率半径を有し、
前記第１のクラウン曲率半径は、約０．１８インチから約０．３０インチの間であり、
前記ソール移行プロフィルは、前記打撃面の前記底縁部から第１のソール移行点まで延びる第１のソール曲率半径を有し、
前記第１のソール曲率半径は、約０．３インチから約０．５インチの間である、ゴルフクラブヘッド。
（項目２）
前記クラウン移行プロフィルは、
前記ロフト平面から頂点平面までの直交距離として測定される長さと、
前記ロフト平面と平行な方向での前記打撃面の前記上縁部からクラウン軸までの距離として測定される高さと、をさらに備え、
前記クラウン移行プロフィルの前記高さに対する前記長さの比は、３．５以下である、項目１に記載のゴルフクラブヘッド。
（項目３）
前記クラウン移行プロフィルの前記高さに対する前記長さの前記比は、３．０以下である、項目２に記載のゴルフクラブヘッド。
（項目４）
前記クラウン移行プロフィルの前記長さは、１．１３から１．３４インチの間であり、
前記クラウン移行プロフィルの前記高さは、０．４１から０．４７インチの間である、項目２に記載のゴルフクラブヘッド。
（項目５）
前記頂点は、前記ロフト平面に対して直交する方向に測定される頂点距離だけ前記ロフト平面からずれており、
前記頂点距離は、約０．８から約１．４インチの間である、項目１に記載のゴルフクラブヘッド。
（項目６）
前記クラウン移行プロフィルは、前記第１のクラウン移行点から第２のクラウン移行点まで延びる第２のクラウン曲率半径をさらに備え、
前記第２のクラウン曲率半径は、前記第１のクラウン曲率半径より大きい、項目１に記載のゴルフクラブヘッド。
（項目７）
前記打撃面の前記上縁部に沿って前記クラブヘッドの前記ヒールの付近から前記トウの付近まで延びるヒールトウ曲率半径をさらに備え、
前記ヒールトウ曲率半径は、約４．９インチより大きい、項目１に記載のゴルフクラブヘッド。
（項目８）
前記ソール移行プロフィルは、
前記ロフト平面からソール平面までの直交距離として測定される長さと、
前記ロフト平面と平行な方向での前記打撃面の前記底縁部からソール軸までの距離として測定される高さと、をさらに備え、
前記ソール移行プロフィルの前記高さに対する前記長さの比は、３．５以下である、項目１に記載のゴルフクラブヘッド。
（項目９）
前記ソール移行プロフィルの前記長さは、０．１０から１．２５インチの間であり、
前記ソール移行プロフィルの前記高さは、０．０５から０．４０インチの間である、項目８に記載のゴルフクラブヘッド。
（項目１０）
前記ソール移行プロフィルは、前記第１のソール移行点から第２のソール移行点まで延びる第２のソール曲率半径をさらに備え、
前記第２のソール曲率半径は、前記第１のソール曲率半径より大きい、項目１に記載のゴルフクラブヘッド。
（項目１１）
ゴルフクラブであって、
シャフトと、
グリップと、
ゴルフクラブヘッドと、を備え、
前記ゴルフクラブヘッドは、
上縁部、底縁部、および中心を有する打撃面であって、前記中心を通って延びるロフト平面であって、前記打撃面に接して位置する前記ロフト平面を規定する前記打撃面と、
本体と、を備え、
前記本体は、
前端部と、
前記前端部の反対側の後端部と、
ヒールと、
前記ヒールの反対側のトウと、
頂点およびクラウン移行プロフィルを含むクラウンと、
最下点およびソール移行プロフィルを含むソールと、
約０．１インチから約０．２５インチの間のリア曲率半径を有するリア移行プロフィルと、を備え、
前記クラウン移行プロフィルは、前記打撃面の前記上縁部から第１のクラウン移行点まで延びる第１のクラウン曲率半径を有し、
前記第１のクラウン曲率半径は、約０．１８インチから約０．３０インチの間であり、
前記ソール移行プロフィルは、前記打撃面の前記底縁部から第１のソール移行点まで延びる第１のソール曲率半径を有し、
前記第１のソール曲率半径は、約０．３インチから約０．５インチの間である、ゴルフクラブ。
（項目１２）
前記クラウン移行プロフィルは、
前記ロフト平面から頂点平面までの直交距離として測定される長さと、
前記ロフト平面と平行な方向での前記打撃面の前記上縁部からクラウン軸までの距離として測定される高さと、をさらに備え、
前記クラウン移行プロフィルの前記高さに対する前記長さの比は、３．５以下である、項目１１に記載のゴルフクラブ。
（項目１３）
前記クラウン移行プロフィルの前記高さに対する前記長さの前記比は、３．０以下である、項目１２に記載のゴルフクラブ。
（項目１４）
前記クラウン移行プロフィルの前記長さは、１．１３から１．３４インチの間であり、
前記クラウン移行プロフィルの前記高さは、０．４１から０．４７インチの間である、項目１２に記載のゴルフクラブ。
（項目１５）
前記クラウン移行プロフィルは、前記第１のクラウン移行点から第２のクラウン移行点まで延びる第２のクラウン曲率半径をさらに備え、
前記第２のクラウン曲率半径は、前記第１のクラウン曲率半径より大きい、項目１１に記載のゴルフクラブ。
（項目１６）
ゴルフクラブであって、
前記打撃面の前記上縁部に沿って前記クラブヘッドの前記ヒールの付近から前記トウの付近まで延びるヒールトウ曲率半径をさらに備え、
前記ヒールトウ曲率半径は、約４．９インチより大きい、項目１１に記載のゴルフクラブ。
（項目１７）
前記ソール移行プロフィルは、
前記ロフト平面からソール平面までの直交距離として測定される長さと、
前記ロフト平面と平行な方向の前記打撃面の前記底縁部からソール軸までの距離として測定される高さと、をさらに備え、
前記クラウン移行プロフィルの前記高さに対する前記長さの比は、３．５以下である、項目１１に記載のゴルフクラブ。
（項目１８）
前記ソール移行プロフィルの前記長さは、０．１０から１．２５インチの間であり、
前記ソール移行プロフィルの前記高さは、０．０５から０．４０インチの間である、項目１７に記載のゴルフクラブ。
（項目１９）
前記ソール移行プロフィルは、前記第１のソール移行点から第２のソール移行点まで延びる第２のソール曲率半径をさらに備え、
前記第２のソール曲率半径は、前記第１のソール曲率半径より大きい、項目１１に記載のゴルフクラブ。
（項目２０）
項目１に記載のゴルフクラブヘッドを製造する方法であって、
打撃面を機械で作製するステップと、
前端部と、前記前端部の反対側の後端部と、ヒールと、前記ヒールの反対側のトウと、頂点およびクラウン移行プロフィルを有するクラウンと、前記クラウンの反対側のソールと、を備える本体を鋳造するステップと、
溶接によって前記打撃面を前記本体に結合して、前記クラウン移行プロフィル、前記ソール移行プロフィル、および前記リア移行プロフィルを有する前記クラブヘッドを得るステップと、を含む、方法。